(57)【特許請求の範囲】
【請求項１】
内部が密閉された密閉体に取り付けられ、前記密閉体の内部に配された対象物に対して前記密閉体の外部から処置を施すための作業用袋体であって、
前記密閉体に取り付けられる取付シートと、
前記取付シートに取り付けられる袋体本体とを備え、
前記取付シートに、シート側雌型ファスナー部とシート側雄型ファスナー部とが係合解除することにより前記取付シートを開閉するシート側ファスナーが設けられ、
前記袋体本体の外周に、前記シート側雌型ファスナー部に係合可能な袋体側雄型ファスナー部と、前記シート側雄型ファスナー部に係合可能な袋体側雌型ファスナー部とが設けられていることを特徴とする作業用袋体。
【請求項２】
前記袋体本体の先端部が、手袋状に形成された手袋部からなることを特徴とする請求項１に記載の作業用袋体。
【請求項３】
前記手袋部が、前記密閉体の内部を密閉に保持した状態で、着脱可能に取り付けられることを特徴とする請求項２に記載の作業用袋体。
【請求項４】
前記袋体本体の先端部が、前記密閉体の内部を密閉に保持した状態で、着脱可能に取り付けられる着脱用袋体からなることを特徴とする請求項１に記載の作業用袋体。
【請求項５】
前記シート側雌型ファスナー部と前記シート側雄型ファスナー部との係合解除を案内するスライダーを備えることを特徴とする請求項１から請求項４のいずれか一項に記載の作業用袋体。
【請求項６】
前記スライダーと前記袋体本体とが連結部を介して連結されていることを特徴とする請求項５に記載の作業用袋体。
【請求項７】
請求項１から請求項６のいずれか一項に記載の作業用袋体と、
前記密閉体とを備えることを特徴とする密閉用作業装置。
【発明の詳細な説明】
【技術分野】
【０００１】
本発明は、密閉体の内部の対象物に対して、外部から所定の処置を施すための作業用袋体及び密閉用作業装置に関する。
【背景技術】
【０００２】
従来から、例えば毒物や被検体などのように、密閉体の内部に配された対象物に対して、当該密閉体の外部から所定の処置を施すための密閉用作業装置が知られている。
例えば、従来では建築物内に設置される建材にアスベストなどが利用されていたが、近年、アスベストが発ガン性を有する毒物であることが判明したため、それら建材を撤去する処置が行われている。
これら建材の撤去作業において、アスベストなどの粉塵が飛散することを防止するために、撤去する建材をあらかじめ覆い、内部を密閉するシート部と、このシート部によって建材を覆い内部を密閉した状態で、シート部の外部からシート部の内部の建材の撤去作業を行うための作業部とを備える密閉用作業装置が利用されている（例えば、特許文献１参照。）。
【特許文献１】特開平２−１３２２６８号公報
【発明の開示】
【発明が解決しようとする課題】
【０００３】
しかしながら、上記のような密閉用作業装置では、撤去する建材が所定の長さにわたって配置されている場合、作業部の届く範囲では建材を撤去することはできるものの、作業部の届かない範囲においては、建材を撤去することができないという問題がある。すなわち、対象物の全長のうちの一部しか所定の処置を施すことができないことになってしまう。
【０００４】
本発明は、このような事情に鑑みてなされたものであって、所定の長さにわたって対象物が配置されていても、対象物に対して迅速かつ容易に所定の処置を施すことができる作業用袋体及び密閉用作業装置を提供することを目的とする。
【課題を解決するための手段】
【０００５】
上記課題を解決するために、本発明は以下の手段を提供する。
本発明は、内部が密閉された密閉体に取り付けられ、前記密閉体の内部に配された対象物に対して前記密閉体の外部から処置を施すための作業用袋体であって、前記密閉体に取り付けられる取付シートと、前記取付シートに取り付けられる袋体本体とを備え、前記取付シートに、シート側雌型ファスナー部とシート側雄型ファスナー部とが係合解除することにより前記取付シートを開閉するシート側ファスナーが設けられ、前記袋体本体の外周に、前記シート側雌型ファスナー部に係合可能な袋体側雄型ファスナー部と、前記シート側雄型ファスナー部に係合可能な袋体側雌型ファスナー部とが設けられていることを特徴とする。
【０００６】
この発明においては、密閉体にシートが取り付けられた状態で、シート側雌型ファスナー部の一部と袋体側雄型ファスナー部とが係合し、シート側雄型ファスナー部の一部と袋体側雌型ファスナー部とが係合する。また、シート側雌型ファスナー部及びシート側雄型ファスナー部のうち、袋体本体と係合していない部分においては、シート側雌型ファスナー部とシート側雄型ファスナー部とが係合する。したがって、密閉体の内部は密閉状態となる。
このとき、袋体本体をシート側ファスナーに沿って移動させると、当該移動方向の前方において、シート側雌型ファスナー部とシート側雌型ファスナー部との係合が解除されるとともに、解除された分のシート側雌型ファスナー部と袋体側雄型ファスナー部とが係合していき、解除された分のシート側雄型ファスナー部と袋体側雌型ファスナー部とが係合していく。一方、当該移動方向の後方においては、シート側雌型ファスナー部と袋体側雄型ファスナー部とが解除され、シート側雄型ファスナー部と袋体側雌型ファスナー部とが解除される。それとともに、解除された分のシート側雌型ファスナー部とシート側雄型ファスナー部とが係合していく
そのため、密閉体の内部を密閉状態に保持しつつ、袋体本体をシート側ファスナーに沿って移動させることができる。
したがって、袋体本体を移動させることにより、袋体本体の届く範囲を移動させることができ、そのため、所定の長さにわたって対象物が配置されていても、対象物に所定の処置を施すことができる。
なお、「対象物」とは、毒物や実験対象となる被検体などのように、外部から隔離する必要があり、かつ外部から所定の処置を施す必要があるものをいう。
また、「所定の処置」とは、実験に必要な処置や、撤去、移動などをいう。
【０００７】
また、本発明は、前記袋体本体の先端部が、手袋状に形成された手袋部からなることを特徴とする。
【０００８】
この発明によれば、作業者が手袋部に手を入れることにより、密閉体の外部から容易に作業を行うことができる。
【０００９】
また、本発明は、前記手袋部が、前記密閉体の内部を密閉に保持した状態で、着脱可能に取り付けられることを特徴とする。
【００１０】
この発明によれば、密閉体の内部に配された対象物などを、手袋部を介して外部に移動させることができ、また、処置に必要な道具などを、手袋部を介して内部に移動させることができる。
したがって、対象物に対して処置を行う際の利便性を向上させることができる。
【００１１】
また、本発明は、前記袋体本体の先端部が、前記密閉体の内部を密閉に保持した状態で、着脱可能に取り付けられる着脱用袋体からなることを特徴とする。
【００１２】
この発明によれば、密閉体の内部に配された対象物などを、着脱用袋体を介して外部に移動させることができ、また、処置に必要な道具などを、着脱用袋体を介して内部に移動させることができる。
したがって、対象物に対して処置を行う際の利便性を向上させることができる。
【００１３】
また、本発明は、前記シート側雌型ファスナー部と前記シート側雄型ファスナー部との係合解除を案内するスライダーを備えることを特徴とする。
【００１４】
この発明によれば、スライダーをスライドさせることにより、密閉体の内部を密閉に保持した状態で、袋体本体を容易に移動させることができる。
【００１５】
また、本発明は、前記スライダーと前記袋体本体とが連結部を介して連結されていることを特徴とする。
【００１６】
この発明によれば、袋体本体を移動させると、袋体本体に合わせてスライダーが移動するため、袋体本体を移動させるだけで、密閉体の密閉状態を確実に保持することができる。
【００１７】
また、本発明は、請求項１から請求項６のいずれか一項に記載の作業用袋体と、前記密閉体とを備えることを特徴とする。
【００１８】
この発明によれば、請求項１から請求項６のいずれか一項に記載の作業用袋体と同様の効果を奏することができる。
【発明の効果】
【００１９】
本発明によれば、密閉体の内部を密閉状態に保持しながら、袋体本体を移動させることにより、袋体本体の届く範囲を移動させることができることから、所定の長さにわたって対象物が配置されていても、対象物に対して迅速かつ容易に所定の処置を施すことができる。
【発明を実施するための最良の形態】
【００２０】
（実施形態１）
以下、本発明の第１の実施形態における密閉用作業装置について、図面を参照して説明する。
本実施形態においては、密閉用作業装置を建材撤去装置に適用した場合を例に挙げて説明する。
建材撤去装置１は、図１に示すように、撤去する建材を覆う本体部（密閉体)２と、この本体部２に取り付けられた作業用袋体１００とを備えている。
本体部２は、全体として矩形箱型に形成された本体フレーム３と、ビニールなどの透明部材からなる袋状の密閉シート４とを備えている。
【００２１】
本体フレーム３は、矩形フレーム状の天井部７を備えている。天井部７には、梁部８が複数設けられるようになっている。また、天井部７の四隅には、それぞれ脚部１０が取り付けられるようになっている。
この本体フレーム３に、密閉シート４が取り付けられるようになっている。すなわち、本体フレーム３内に密閉シート４を配した状態で、本体フレーム３と密閉シート４とにわたって取付テープ９を貼り付けることによって、密閉シート４が本体フレーム３によって支持されるようになっている。そして、密閉シート４を本体フレーム３に取り付けることにより、密閉シート４内が負圧になったときに、密閉シート４が支えられるようになっている。
【００２２】
作業用袋体１００は、図２に示すように、密閉シート４の長手方向に向けて密閉シート４に取り付けられた長尺状の取り付けシート１０１と、この取付シート１０１に取り付けられて、本体部２内に配された袋体本体１０２とを備えている。
取付シート１０１は、取付テープ、接着剤又は溶着などにより、密閉シート４に取り付けられるようになっている。この取付シート１０１には、図３に示すように、長手方向の全長にわたって延びるシート側ファスナー１０３が設けられている。
シート側ファスナー１０３は、シート側雌型ファスナー１０３ａと、シート側雄型１０３ｂとを備えている。また、シート側ファスナー１０３には、シート側雌型ファスナー１０３ａとシート側雄型１０３ｂとの係合・解除を案内する２つのスライダー１０４ａ，１０４ｂが設けられている。
【００２３】
そして、図３及び図４に示すように、シート側雌型ファスナー１０３ａとシート側雄型ファスナー１０３ｂとが係合している方向Ａにスライダー１０４ａ，１０４ｂをスライドさせると、スライダー１０４ａ，１０４ｂに案内されて、シート側雌型ファスナー１０３ａとシート側雄型１０３ｂとが解除されていき、反対に、シート側雌型ファスナー１０３ａとシート側雄型１０３ｂとが解除されている方向Ｂにスライダー１０４ａ，１０４ｂをスライドさせると、スライダー１０４ａ，１０４ｂに案内されて、シート側雌型ファスナー１０３ａとシート側雄型１０３ｂとが係合されていくようになっている。
そして、これらシート側雌型ファスナー１０３ａと、シート側雄型１０３ｂとが係合・解除することにより、取付シート１０１が開閉するようになっている。
なお、スライダー１０４ａ，１０４ｂは、袋体本体１０２に連結されているものであり、図３及び図４においては、袋体本体１０２の図示を省略している。
【００２４】
また、図５に示すように、袋体本体１０２の外周には、袋体側雌型ファスナー１０２ａと、袋体側雄型ファスナー１０２ｂとが設けられている。そして、袋体側雌型ファスナー１０２ａと袋体側雄型ファスナー１０２ｂとの近傍に、スライダー１０４ａ，１０４ｂが設けられている。スライダー１０４ａ，１０４ｂは、固定ピン（連結部）１０５を介して、袋体本体１０２に固定されている。
また、図６に示すように、袋体側雄型ファスナー１０２ｂは、その全長にわたってシート側雌型ファスナー１０３ａの一部に係合しており、袋体側雌型ファスナー１０２ａは、その全長にわたってシート側雄型ファスナー１０３ｂの一部に係合している。
【００２５】
このような構成のもと、図６及び図７に示すように、一方のスライダー１０４ａを方向Ａに移動させると、スライダー１０４ａの前方におけるシート側雌型ファスナー１０３ａとシート側雄型ファスナー１０３ｂとの係合が解除されていくとともに、スライダー１０４ａの後方において、解除されたシート側雌型ファスナー１０３ａが、袋体側雄型ファスナー１０２ｂと係合していき、前記解除されたシート側雄型ファスナー１０３ｂが、袋体側雌型ファスナー１０２ａに係合していく。また、他方のスライダー１０４ｂを方向Ｂに移動させると、スライダー１０４ｂの前方において、シート側雌型ファスナー１０３ａと袋体側雄型ファスナー１０２ｂとの係合が解除され、シート側雄型ファスナー１０３ｂと袋体側雌型ファスナー１０２ａとの係合が解除されていく。それとともに、スライダー１０４ｂに案内されて、スライダー１０４ｂの後方において、シート側雌型ファスナー１０３ａとシート側雄型ファスナー１０３ｂとが係合していく。これにより、袋体本体１０２が、本体部２の内部を密閉に保持した状態で、シート側ファスナ１０３に沿って一方向Ｌに移動する。
なお、方向Ａと方向Ｂとは、機能ごとに分けて記載しているが、実際には同方向となることは言うまでもない。
【００２６】
また、図２に示すように、袋体本体１０２の後端は、外方に開口されており、袋体本体１０２の先端部は、手袋状に形成された手袋部１０６が形成されている。この手袋部１０６に作業者が手を入れることにより、本体部１０２の内部に配置された建材の撤去作業を行うことができるようになっている。
【００２７】
また、図１に示すように、密閉シート４には、密閉シート４の外方に向けて筒状に延びる本体案内口１６が設けられている。本体案内口１６と密閉シート４とは気密状態が保持されている。本体案内口１６の先端には、本体開口部１５が形成されている。また、本体案内口１６の内周部には、本体開口部１５を開閉させる本体ビニールファスナ（本体開閉部）１７が設けられている。そして、本体ビニールファスナ１７を開けると、本体開口部１５が開き、本体ビニールファスナ１７を閉じると、本体開口部１５が閉じられたまま本体部２内の密閉状態が保持されるようになっている。
本体ビニールファスナ１７は、本体開口部１５よりも本体案内口１６の基端側に設けられている。
【００２８】
また、本体開口部１５には、図８に示すように、ビニールなどの透明部材からなる袋体２０が取り付けられるようになっている。袋体２０の先端側には、袋体案内口２１が設けられており、袋体案内口２１の先端には、袋体開口部２２が形成されている。袋体案内口２１の内周部の後端側には、袋体開口部２２を開閉させる袋体ビニールファスナ（袋体開閉部）２３が設けられている。そして、袋体ビニールファスナ２３を開けると、袋体開口部２２が開き、袋体ビニールファスナ２３を閉じると、袋体開口部２２が閉じられたまま袋体２０内の密閉状態が保持されるようになっている。
【００２９】
この袋体２０は、図９に示すように、本体開口部１５を介して本体案内口１６内に袋体案内口２１を挿入させた状態で、本体開口部１５の縁を全周にわたってテープ（取り付け手段）２６を貼り付けることにより、本体開口部１５に着脱可能に取り付けられるようになっている。そして、袋体２０が本体開口部１５に取り付けられると、テープ２６によって本体部２と袋体２０との間の密閉状態が保持されるようになっている。さらに、袋体２０が本体開口部１５に取り付けられた状態で、本体開口部１５及び袋体開口部２２を開けると、密閉状態を保持したまま、本体開口部１５及び袋体開口部２２を介して、本体部２内と袋体２０内とが連通するようになっている。さらに、袋体２０が本体開口部１５に取り付けられると、袋体ビニールファスナ２３は本体ビニールファスナ１７の近傍に配されるようになっている。
また、テープ２６を剥がすことにより、袋体２０を取り外すことができるようになっている。
【００３０】
さらに、建材撤去装置１は、図１に示すように、本体部２の内部を吸引する吸引装置２８を備えている。吸引装置２８は、吸引本体部３０と、この吸引本体部３０から延びる吸引ホース３１とを備えている。これら吸引本体部３０の内部には、フィルタ（不図示）が設けられており、このフィルタにより、吸引ホース３１を介して吸引される空気が吸引本体部３０から排出されるときに、空気中の粉塵が取り除かれるようになっている。
また、密閉シート４には、吸引ホース３１が挿入される吸引口２７が設けられている。
このような構成のもと、吸引ホース３１を吸引口２７に挿入して、吸引本体部３０を駆動すると、吸引ホース３１を介して本体部２の内部の空気が吸引されて、本体部２内が負圧状態になる。さらに、袋体２０が、本体開口部１５に取り付けられ、かつ、本体部２の内部に連通した状態で、吸引装置２８により本体部２内を吸引すると、本体部２だけでなく、本体開口部１５を介して袋体２０の内部も負圧になる。
【００３１】
さらに、本実施形態における密閉シート４には、空気の流入口３４が設けられている。流入口３４には、フィルタ（不図示）が設けられており、このフィルタにより本体部２内の粉塵が外部に飛散しないようになっている。
【００３２】
次いで、本実施形態における建材撤去装置１の使用方法について説明する。
ここでは、撤去する建材が、図１１に示すように、建物内の床の開口部３８に設置される床閉鎖体（対象物）３７であるものとする。なお、床閉鎖体３７は、長尺状に延ばされて矩形箱型に形成されており、その中に充填材３９が充填されている。また、床閉鎖体３７を構成する板部材はアスベストを含む建材である。これらアスベストを含む板部材がボルトなどにより固定されている。
【００３３】
さて、このような床閉鎖体３７を撤去しようとすると、板部材に含まれるアスベストが飛散するおそれがある。そこで、まず、床閉鎖体３７を囲むようにして本体フレーム３を矩形状に組み立てる。そして、この本体フレーム３に取付テープ９によって密閉シート４を取り付ける。このとき、ドライバーや湿潤スプレーなど、撤去作業に使用する工具を本体部２内に置いておく。それから、本体ビニールファスナ１７を閉じて本体開口部１５を閉じる。
次いで、床閉鎖体３７の長手方向に沿って、２つの取付シート１０１が互いに平行になるように、接着剤などにより取付シート１０１を取り付ける。そして、図１０に示すように、シート側雌型ファスナー１０３ａとシート側雄型ファスナー１０３ｂとの係合を解除し、これらシート側雌型ファスナー１０３ａとシート側雄型ファスナー１０３ｂとの間に配された密閉シート４を、取付シート１０１の長手方向に延びる切断線Ｆ上に切断する。
【００３４】
そして、図３に示すように、シート側雌型ファスナー１０３ａとシート側雄型ファスナー１０３ｂとをスライダー１０４ａ，１０４ｂに通して、シート側雌型ファスナー１０３ａとシート側雄型ファスナー１０３ｂとのうち、スライダー１０４ａ,１０４ｂの間を解除し、それ以外を係合させる。そして、スライダー１０４ａ,１０４ｂの間において、袋体本体１０２の先端部を、切断線Ｆを通して本体部２の内部に配した状態で、図６に示すように、シート側雌型ファスナー１０３ａと袋体側雄型ファスナー１０２ｂとを係合させ、シート側雄型ファスナー１０３ｂと袋体側雌型ファスナー１０２ａとを係合させる。
これにより、床閉鎖体３７が本体部２によって覆われ、本体部２内が密閉状態になる。
【００３５】
次いで、撤去作業者が手袋部１０６に手を入れて、本体部２内にあらかじめ置いておいた工具を利用して床閉鎖体３７を以下のように解体する。
まず、床閉鎖体３７の板部材を止めているボルトなどに湿潤スプレーを吹き付け、ボルトやその周辺を湿潤化する。このように湿潤化するのは、ボルトなどを湿らすことにより、アスベストの飛散を防止するためである。
【００３６】
それから、吸引口２７に吸引ホース３１を挿入して本体部２の内部を吸引する。これにより、本体部２内が負圧状態となる。このとき、負圧によって密閉シート４が本体部２の内方につぶれ易くなるが、密閉シート４に流入口３４が設けられていることから、密閉シート４がつぶれることが防止される。すなわち、本体部２内を負圧状態としたとき、本体部２内が所定の圧力を超えると、本体部２の外部から流入口３４を介して空気が流入し、これにより本体部２内が所定の圧力以上にならないように調整される。なお、本体部２内が所定の圧力以上にならないように、吸引装置２８の吸引力や吸引時間をあらかじめ調整しておけば、流入口３４を設けなくても密閉シート４がつぶれることはない。
【００３７】
次いで、図９に示すように、本体開口部１５を介して、本体案内口１６内に袋体案内口２１を挿入する。そして、袋体開口部２２の縁の全周をテープ２６によって密閉シート４に貼り付ける。これにより、袋体２０が本体開口部１５に取り付けられる。
それから、湿潤スプレーによって湿潤化されたボルトを外して、床閉鎖体３７の天板４１を取り外す。そして、本体ビニールファスナ１７及び袋体ビニールファスナ２３を開ける。すると、密閉状態が保持されたまま、本体開口部１５及び袋体開口部２２を介して、本体部２の内部と袋体２０の内部とが連通する。そして、本体部２内が、吸引装置２８により負圧になっていることから、本体開口部１５及び袋体開口部２２を介して、袋体２０内も負圧になる。
【００３８】
そこで、図１２に示すように、本体部２内の天板４１（建材の一部）を、本体開口部１５及び袋体開口部２２を介して、袋体２０の内部へ移動させる。このとき、必要な工具は本体部２内に残しておく。天板４１を移動させると、まず、袋体ビニールファスナ２３を閉じる。それから、本体案内口１６及び袋体案内口２１などに存するアスベストの粉塵などを本体部２内に移動させる。このとき、吸引本体部３０によって吸引ホース３１を介して本体部２内を吸引しているため、粉塵を本体部２内に移動させ易くすることができる。それから、本体ビニールファスナ１７を閉じる。これにより、本体部２と袋体２０との連通が遮断されるが、本体ビニールファスナ１７により本体部２内は密閉状態が保持され、袋体ビニールファスナ２３により袋体２０内も密閉状態が保持される。それから、テープ２６を剥がして、袋体２０を本体開口部１５から取り外す。そして、天板４１を袋体２０ごと所定の場所に搬送する。
【００３９】
さらに、別の袋体２０を本体開口部１５に取り付ける。そして、充填材、側板部及び底板部をそれら部材ごとに分別しながら袋体２０に移動させて、袋体２０がいっぱいになったら、上記と同様にして、密閉状態を保持したまま袋体２０を取り外し、さらに別の袋体２０を本体開口部１５に取り付ける。このようにして、床閉鎖体３７を解体して、各部材ごとに袋体２０に分別しながら移動させて、袋体２０ごとに撤去していく。なお、撤収作業の途中で、他の工具が必要になったときには、別の袋体２０を取り付けるときに、別の袋体２０内にそれら他の工具を入れておく。そして、本体部２の内部と袋体２０の内部とを連通させた状態で、他の工具を袋体２０から本体部２内へ移動させればよい。また、工具が不要となったときは、本体部２から袋体２０に工具を移動させて、それら工具を袋体２０ごと撤去する。
【００４０】
このようにして、袋体本体１０２が届く範囲内の建材が撤去されるが、袋体本体１０２が届かない範囲については、建材を撤去することができない。特に、床閉鎖体３７は長尺状に延ばされているため、その全長のうちの一部しか撤去できない。そこで、袋体本体１０２を以下のようにして、移動させる。すなわち、図６及び図７に示すように、一方のスライダー１０４ａを方向Ａに移動させると、スライダー１０４ａの前方におけるシート側雌型ファスナー１０３ａとシート側雄型ファスナー１０３ｂとの係合が解除されていくとともに、スライダー１０４ａの後方において、解除されたシート側雌型ファスナー１０３ａが、袋体側雄型ファスナー１０２ｂと係合していき、前記解除されたシート側雄型ファスナー１０３ｂが、袋体側雌型ファスナー１０２ａに係合していく。このとき、袋体本体１０２が一方向Ｌに移動することにより、一方向Ｌにおける袋体本体１０２の後方において、シート側雌型ファスナー１０３ａと袋体側雄型ファスナー１０２ｂとの係合が解除され、シート側雄型ファスナー１０３ｂと袋体側雌型ファスナー１０２ａとの係合が解除されていく。さらに、袋体本体１０２が一方向Ｌに移動することにより、袋体本体１０２に連結された他方のスライダー１０４ｂが同方向Ｌに引っ張られて、方向Ｂに移動する。そのため、スライダー１０４ｂに案内されて、スライダー１０４ｂの後方において、シート側雌型ファスナー１０３ａとシート側雄型ファスナー１０３ｂとが係合していく。
これにより、袋体本体１０２が、本体部２の内部を密閉に保持した状態で、シート側ファスナー１０３に沿って一方向Ｌに移動する。
【００４１】
そして、撤去作業が可能な所定の位置まで袋体本体１０２を移動させ、前記撤去作業を繰り返す。さらに、必要に応じて、袋体本体１０２を順次移動させていき、必要な建材を撤去していく。
そして、床閉鎖体３７のすべての部材及び工具を袋体２０によって撤去したら、密閉シート４を本体フレーム３から取り外し、密閉シート４及び作業用袋体１００を最後に袋体２０に入れる。これによって、床閉鎖体３７の撤去作業が完了する。
【００４２】
以上より、本実施形態における建材撤去装置１によれば、本体部２の内部を密閉に保持した状態で、袋体本体２０を移動させることができることから、所定の長さにわたって建材が配置されていても、建材の撤去作業を迅速かつ容易に行うことができる。
また、袋体本体１０２の先端部に手袋部１０６が設けられていることから、撤去作業を容易に行うことができる。
また、本体部２に対して、作業用袋体１００を任意の場所に取り付けることができることから、建材の形状や構造、設置状況などに応じて作業用袋体１００を取り付けることができ、本体部２や作業用袋体１００の設置の自由度を向上させることができる。すなわち、通常はこのような袋体が密閉部材に当初から設置された状態で納品されるため、自由度が少ないが、本発明に係る作業用袋体１００によれば、現場で必要な箇所に取り付けが可能であるため、作業効率を向上させることができる。
また、スライダー１０４ａ，１０４ｂが設けられていることから、スライダー１０４ａ，１０４ｂをスライドさせることにより、本体部２の内部を密閉に保持した状態で、袋体本体１０２を容易に移動させることができる。
また、スライダー１０４ａ，１０４ｂが袋体本体１０２に連結されていることから、袋体本体１０２を移動させると、袋体本体１０２に合わせてスライダー１０４ａ，１０４ｂが移動するため、袋体本体１０２を移動させるだけで、本体部２の密閉状態を確実に保持することができる。
【００４３】
また、本体部２内を密閉状態に保持したまま、袋体２０ごとに建材を撤去することができることから、撤去作業における利便性を向上させることができ、迅速かつ容易に撤去作業を行うことができる。
また、テープ２６、本体ビニールファスナ１７及び袋体ビニールファスナ２３が設けられていることから、本体部２や袋体２０を密閉状態に保持することができ、アスベストの飛散を確実に防止することができる。
【００４４】
また、袋体２０が本体開口部１５に取り付けられた状態で、袋体ビニールファスナ２３が本体ビニールファスナ１７の近傍に配されることから、袋体ビニールファスナ２３と本体ビニールファスナ１７との間に配されるアスベストの量を抑えることができ、袋体２０を取り外すとき、アスベストが飛散することを防止することができる。
さらに、吸引装置２８により、本体部２内を負圧にすることから、アスベストの飛散を確実に防止することができる。さらに、本体部２を介して袋体２０内をも負圧にすることから、より効果的にアスベストの飛散を防止することができる。
【００４５】
また、まず袋体ビニールファスナ２３を先に閉じてから、本体ビニールファスナ１７を閉じ、それから袋体２０を取り外すことから、袋体ビニールファスナ２３を閉じ、かつ本体ビニールファスナ１７を開いた状態で、本体案内口１６及び袋体案内口２１に存するアスベストの粉塵を本体部２内に移動させることができる。そして、アスベストの粉塵を本体部２内に移動させてから本体ビニールファスナ１７を閉じて袋体２０が取り外される。そのため、袋体２０を取り外すときに、アスベストが飛散することを防止することができる。
さらに本実施形態においては、吸引装置２８が設けられていることから、袋体ビニールファスナ２３を閉じ、かつ本体ビニールファスナ１７を開いた状態で、本体案内口１６及び袋体案内口２１に存するアスベストの粉塵を負圧により本体部２内に確実に移動させることができる。そのため、袋体２０を取り外すときのアスベストの飛散を確実に防止することができる。
【００４６】
なお、本実施形態においては、袋体本体１０２を一対設けているが、これに限ることはなく、袋体本体１０２の設置数は適宜変更可能である。例えば、一つの取付シート１０１に２つ以上の袋体本体１０２を設けてもよいし、全体として袋体本体１０２を一つ設けてもよいし、三つ以上設けてもよい。すなわち、複数の袋体本体１０２を同列の取付シート１０１に設けてもよい。
また、取付シート１０１の設置数も一つ又は三つ以上であってもよい。さらに、一対の取付シート１０１を平行に取り付けるものとしたが、これに限ることはなく、取付シート１０１を互いに交差させる方向に向けて取り付けてもよい。例えば、一つを水平方向に取り付け、もう一つを垂直方向に取り付けてもよい。すなわち、設置状況に合わせて取付シート１０１を取り付けることにより、作業効率を向上させることができる。
また、袋体本体１０２の先端部に手袋部１０６が一つ設けられていることとしたが、これに限ることはなく、一つの袋体本体１０２に複数の手袋部１０６が設けられていてもよい。
また、袋体本体１０２の先端部が手袋部１０６からなるとしたが、図１３に示すように、本体部２の内部を密閉に保持した状態で、手袋部１０６が着脱可能に取り付けられるようになっていてもよい。すなわち、袋体本体１０２は、筒体１０７と、この筒体１０７に着脱可能に取り付けられる手袋部１０８とを備えている。筒体１０７の内周部には、筒体１０７の先端を開閉する筒体側開閉ファスナー１０７ａが設けられており、手袋部１０８の内周部には、手袋部１０８の基端を開閉する手袋側開閉ファスナー１０８ａが設けられている。そして、手袋部１０８の基端から筒体１０７の先端を挿入した状態で、手袋部１０８と筒体１０７とを取り付けテープなどにより取り付けることができる。そして、図８及び図９に示す袋体２０と同様にして、本体部２の内部を密閉に保持した状態で、手袋部１０８を付け替えることができる。これにより、本体部２の内部に配された建材などを、手袋部１０８を介して外部に移動させることができ、また、処置に必要な道具などを、手袋部１０８を介して本体部２内に移動させることができる。
【００４７】
また、手袋部１０８に代えて、図１４に示すように、着脱用袋体１０９を取り付けるようにしてもよい。
これにより、本体部２の内部に配された建材などを、着脱用袋体１０９を介して外部に移動させることができ、また、処置に必要な道具などを、着脱用袋体１０９を介して本体部２内に移動させることができる。
なお、符号１０９ａは、着脱用袋体１０９の内周に形成された袋体側開閉ファスナーを示すものである。
また、袋体本体１０２をシート側ファスナー１０３に取り付けたときに、袋体側雌型ファスナー１０２ａ及び袋体側雄型ファスナー１０２ｂの両端側に隙間が生じる場合は、その隙間を覆う被覆部をスライダー１０４ａ，１０４ｂに設けてもよい。
【００４８】
（実施形態２）
次に、本発明の第２の実施形態について説明する。
図１５は、本発明の第２の実施形態を示したものである。
図１５において、図１から図１４に記載の構成要素と同一部分については同一符号を付し、その説明を省略する。
この実施形態と上記第１の実施形態とは基本的構成は同一であり、ここでは異なる点についてのみ説明する。
【００４９】
本実施形態においては、袋体２０が取り付けられた状態での袋体ビニールファスナ２３と本体ビニールファスナ１７との間に、第一の逆止弁（逆止弁）４３が設けられている。すなわち、袋体案内口２１のうち、袋体ビニールファスナ２３と袋体開口部２２の開口端４６との間に第一の逆止弁４３が設けられている。第一の逆止弁４３は、袋体案内口２１の内部から外部への空気の流通を許容し、反対に外部から内部への空気の流通を規制するようになっている。
また、袋体２０のうち、袋体ビニールファスナ２３よりも袋体２０の底部側に第二の逆止弁（袋体逆止弁）４４が設けられている。第二の逆止弁４４は、袋体２０の内部から外部への空気の流通を許容し、反対に外部から内部への空気の流通を規制するようになっている。
さらに、袋体２０が取り付けられた状態での袋体ビニールファスナ２３と本体ビニールファスナ１７との間に、本体側逆止弁（逆止弁）４５が設けられている。すなわち、本体案内口１６のうち、本体ビニールファスナ１７と本体開口部１５との間に、本体側逆止弁４５が設けられている。本体側逆止弁４５は、本体案内口１６の内部から外部への空気の流通を許容し、反対に外部から内部への空気の流通を規制するようになっている。
【００５０】
このような構成のもと、袋体２０を本体開口部１５に取り付けた状態で、吸引ホース３１を第二の逆止弁４４に挿入して、袋体２０の内部を吸引する。これにより、袋体２０の内部を負圧にすることができ、アスベストの飛散を防止することができる。また、袋体２０を取り外し、袋体ビニールファスナ２３を閉じた状態で、第二の逆止弁４４を介して袋体２０を吸引することにより、袋体２０を圧縮することができる。そのため、袋体２０の容積を小さくすることができ、袋体２０を搬送し易くすることができるだけでなく、袋体２０からのアスベストの飛散を確実に防止することができる。
さらに、袋体２０を本体開口部１５に取り付けて、第一の逆止弁４３及び本体側逆止弁４５に吸引ホース３１を挿入し、袋体ビニールファスナ２３を閉じた状態で、袋体案内口２１内を吸引する。これにより、袋体２０を取り外す前に、本体案内口１６及び袋体案内口２１に存するアスベストの粉塵を吸引することができる。そのため、袋体２０を取り外すときにアスベストの飛散を確実に防止することができる。
【００５１】
なお、本実施形態において、第一の逆止弁４３及び第二の逆止弁４４を設けることとしたが、これに限ることはなく、少なくともいずれか一方を設ければよい。
また、第一の逆止弁４３、第二の逆止弁４４及び本体側逆止弁４５に対応させて、上記第１実施形態の流入口３４と同様の逆止弁付きの流入口を設けてもよい。これにより、袋体２０内、袋体案内口２１及び本体案内口１６内のアスベストの粉塵を簡単かつ確実に吸引することができる。
【００５２】
（実施形態３）
次に、本発明の第３の実施形態について説明する。
図１６は、本発明の第３の実施形態を示したものである。
図１６において、図１から図５に記載の構成要素と同一部分については同一符号を付し、その説明を省略する。
この実施形態と上記第１の実施形態とは基本的構成は同一であり、ここでは異なる点についてのみ説明する。
【００５３】
本実施形態においては、袋体２０´が矩形箱型に形成されている。すなわち、袋体２０´は、矩形状のフレーム部５０を備えている。フレーム部５０はシート部５１に覆われている。シート部５１は、ビニールなどの透明部材からなっている。袋体２０´の底部には、所定の板厚を有する補強用の底板部５３が設けられている。底板部５３の上面には、矩形の収容部５２が設けられている。収容部５２は、高さ方向に複数の収容スペースが配列されており、それら各スペースに建材や建材部品を収容することができるようになっている。
また、袋体２０´の天面には、取手５６が設けられている。
【００５４】
以上より、本実施形態における建材撤去装置１によれば、フレーム部５０によって袋体２０´が矩形箱型に形成され、収容部５２が設けられていることから、建材の一部又は全部を袋体２０´に容易に収納することができる。また、袋体２０´の運搬を容易に行うことができる。さらに、取手５６が設けられていることから、袋体２０´をさらに持ち運び易くすることができる。
【００５５】
なお、上記第１から第３の実施形態においては、建物の床の開口部を塞ぐ床閉鎖体３７に、建材撤去装置１を設置しているが、これに限ることはなく、建材撤去装置１を設置する箇所は適宜変更可能である。例えば、図１７（ａ）に示すように、壁に形成された開口部に設置してもよい。また、図１７（ｂ）に示すように、壁に形成された開口部の左右両側の領域にわたって設置してもよい。また、図１７（ｃ）に示すように、床の開口部の上下両側の領域にわたって設置してもよい。
【００５６】
また、上記第１から第３の実施形態においては、撤去する建材を床閉鎖体３７としているが、これに限ることはなく、建材としては適宜変更可能である。
さらに、対象物としては、建材でなくてもよい。すなわち、毒物や実験対象となる被検体などのように、外部から隔離する必要があり、かつ外部から所定の処置を施す必要があるものであれば適宜変更可能である。
また、本発明に係る密閉用作業装置を建材用撤去装置１に適用するとしたが、これに限ることはなく、適宜変更可能である。例えば、実験装置などであってもよい。
なお、袋体ビニールファスナ２３と本体ビニールファスナ１７とが近傍に配されるとしたが、それらをより近傍に配するために、本体ビニールファスナ１７を本体開口部１５の開口端に設けるようにしてもよい。
また、本体案内口１６に袋体案内口２１を挿入するとしたが、これに代えて、袋体案内口２１に本体案内口１６を挿入するようにしてもよい。この場合、袋体ビニールファスナ２３と本体ビニールファスナ１７とをより近傍に配するために、袋体ビニールファスナ２３を袋体開口部２２の開口端に設けるようにしてもよい。
【００５７】
また、本体開閉部及び袋体開閉部としてビニールファスナを設けるとしたが、これに限ることはなく、内部を密閉状態に保持することができるものであれば適宜変更可能である。
さらに、取り付け手段としてテープ２６を貼り付けるとしたが、これに限ることはなく、袋体２０が着脱可能に取り付けられるものであれば、適宜変更可能である。
また、密閉シート４を本体フレーム３に取付テープ９によって取り付けるとしたが、これに限ることはなく、その取り付け手段は適宜変更可能である。例えば、紐やプラスチックなどにより取り付けてもよい。
また、本発明の技術範囲は上記の実施例に限定されるものではなく、本発明の趣旨を逸脱しない範囲において、種々の変更を加えることが可能である。
【図面の簡単な説明】
【００５８】
【図１】本発明に係る密閉用作業装置を建材撤去装置に適用した例を示す図であって、建材用撤去装置の第１の実施形態を示す全体構成図である。
【図２】図１の作業用袋体を拡大して示す説明図である。
【図３】図１の作業用袋体の取り付けシートを示す図であって、シート側ファスナーが解除された様子を示す説明図である。
【図４】図１の作業用袋体の取り付けシートを示す図であって、シート側ファスナーが係合された様子を示す説明図である。
【図５】図１の作業用袋体の袋体本体を示す説明図である。
【図６】袋体本体をシート側ファスナーに取り付けた様子を示す説明図である。
【図７】図６の袋体本体を一方向にスライドさせた様子を示す説明図である。
【図８】図１の袋体が本体開口部に着脱される様子を拡大して示す説明図である。
【図９】図１の袋体が本体開口部に取り付けられた様子を拡大して示す平面図である。
【図１０】密閉シートに取付シートを取り付けた状態で、密閉シートを切断するときの切断線の様子を示す説明図である。
【図１１】本実施形態における建材撤去装置を建材に設置した様子を示す説明図である。
【図１２】本実施形態において、本体部内の建材を袋体内に移動させる様子を示す説明図である。
【図１３】図２の袋体本体の変形例を示す説明図である。
【図１４】図２の袋体本体の他の変形例を示す説明図である。
【図１５】本発明に係る建材撤去装置の第２の実施形態を示す図であって、袋体が本体開口部に取り付けられた様子を示す平面図である。
【図１６】本発明に係る建材撤去装置の第３の実施形態を示す図であって、袋体を示す斜視図である。
【図１７】本発明に係る建材撤去装置の設置のバリエーションを示す図であって、（ａ）は壁に形成された開口部に設置した様子を示す説明図、（ｂ）は壁に形成された開口部の左右両側の領域に設置した様子を示す説明図、（ｃ）は床に形成された開口部の上下両側の領域に設置した様子を示す説明図である。
【符号の説明】
【００５９】
１    建材撤去装置（密閉用作業装置）  
２    本体部（密閉体）
１００  作業用袋体
１０１  取付シート
１０２  袋体本体
１０２ａ  袋体側雌型ファスナー
１０２ｂ  袋体側雄型ファスナー
１０３  シート側ファスナー
１０３ａ  シート側雌型ファスナー
１０３ｂ  シート側雄型ファスナー
１０４ａ，１０４ｂ  スライダー
１０５  固定ピン（連結部）
１０６  手袋部
１０９  着脱用袋体
【図１】
0004892501.tif 000002
【図２】
0004892501.tif 000003
【図３】
0004892501.tif 000004
【図４】
0004892501.tif 000005
【図５】
0004892501.tif 000006
【図６】
0004892501.tif 000007
【図７】
0004892501.tif 000008
【図８】
0004892501.tif 000009
【図９】
0004892501.tif 000010
【図１０】
0004892501.tif 000011
【図１１】
0004892501.tif 000012
【図１２】
0004892501.tif 000013
【図１３】
0004892501.tif 000014
【図１４】
0004892501.tif 000015
【図１５】
0004892501.tif 000016
【図１６】
0004892501.tif 000017
【図１７】
0004892501.tif 000018